(57)【要約】【課題】建材や家具という個別のジャンルにとらわれない両方の機能を備え、従来の部屋単位空間に利用できるとともに、大空間に対しても、ブロック体１を積み重ねて連結するという簡単な作業によって自立型の間仕切り材や家具などの内装部材を組み立てることができ、リフォーム後のブロック体１の廃棄処理も容易に行なうことができること。【解決手段】表面に凹部３又は凸部２あるいは凹部３及び凸部２を設けた多数の異なるブロック体を備え、これらのブロック体１の中から選択されたブロック体１を、上記凹部３又は凸部２あるいは凹部３及び凸部２を利用して互いに嵌合させ、かつ粘着材４を介して連結して組み立てる。【選択図】図４
2005344337.tif 000002
【特許請求の範囲】
【請求項１】
表面に凹部又は凸部あるいは凹部及び凸部を設けた多数の異なるブロック体を備え、これらのブロック体の中から選択されたブロック体を、上記凹部又は凸部あるいは凹部及び凸部を利用して互いに嵌合させ、かつ粘着材を介して連結して組み立てることを特徴とする内装部材の組立システム。
【請求項２】
表面に凹部又は凸部を設けた多数の異なるブロック体と、これらのブロック体の凹部又は凸部に嵌合する嵌合部を設けた多数の異なる中間嵌合体とを備え、これらの中から選択されたブロック体同士を、互いにその中間に上記中間嵌合体を嵌合させ、かつ粘着材を介して連結して組み立てることを特徴とする内装部材の組立システム。
【請求項３】
前記ブロック体と、設置面に安定的に配置される基盤材とを備え、最下段に配置される前記ブロック体を、上記基盤材上に粘着材を介して嵌合させる、請求項１に記載の内装部材の組立システム。
【請求項４】
前記ブロック体と前記中間嵌合体と設置面に安定的に配置される基盤材とを備え、最下段に配置される前記ブロック体を、上記基盤材上に粘着材を介して嵌合させる、請求項２に記載の内装部材の組立システム。
【請求項５】
前記基盤材を設置面に配置し、その一部の基盤材上に、最下段に配置される前記ブロック体を粘着材を介して嵌合させ、間仕切り材を組み立てるとともに、他の基盤材上には、上面が平坦なブロック体を嵌合させた、
請求項３又は４に記載の内装部材の組立システム。
【請求項６】
表面に凹部又は凸部あるいは凹部及び凸部を設けた複数のブロック体を、上記凹部又は凸部あるいは凹部及び凸部を利用して互いに嵌合させ、かつ粘着材を介して連結して組み立てることを特徴とする内装部材の組立方法。
【請求項７】
表面に凹部又は凸部を設けた複数のブロック体と、これらのブロック体の凹部又は凸部に嵌合する嵌合部を設けた中間嵌合体とを備え、上記ブロック体を、互いにその中間に上記中間嵌合体を嵌合させ、かつ粘着材を介して連結して組み立てることを特徴とする内装部材の組立方法。
【発明の詳細な説明】
【技術分野】
【０００１】
本発明は、構造材によって区画された大きな空間を仕切る間仕切りや仕切られた空間内に設けられる家具などの内装部材を、ブロック体の連結で組み立てられるようにした、内装部材の組立システムおよび内装部材の組立方法に関するものである。
【背景技術】
【０００２】
一般に、住居の設計は間取りからスタートするという考え方が主流であり、間取りのための構造体と、構造体によって形成された空間に収められる家具とは分離して考えられており、製造や流通市場においても建材と建具とは独立して存在している。
【０００３】
ところが、内部に住む人の数や利用の態様などにおいて、生活のスタイルは変わっていくものであり、住居も各ライフステージに応じて変わっていくべきものである。典型的なパターンとしては、結婚により住宅を購入した場合の二人の所帯では、家具や照明にこだわったホテルラウンジ風の大空間で二人暮らしを満喫することができる。その後、１０年から１５年経過すると子供ができ、家族が増えて、子供部屋を確保するため間仕切りを行い、生活用品も増え、生活感があふれたファミリー暮らしとなる。さらに、それから１５年から３０年を経過すると、子供たちが独立し、老夫婦二人で手広くなり、一部を売却したり、貸したり、趣味に応じて間仕切りしたりして老後の生活をするという具合である。さらに、上記各ライフステージで、そのときどきにふさわしい間仕切りや家具の変更が求められることがある。
【０００４】
このような事情を考慮するならば、１０年程度の期間が経過したらリフォームすることが望ましい。ところが、家具は自分で選択して購入し設置すればよいので、簡便で変更しやすいのに対し、リフォームは時間や手間がかかる。現状のリフォームは壁を基本としているから、リフォームは居室空間を画成する間仕切り壁を変更することが主要な工事となる。したがって、リフォームは大規模な大工工事を伴うことが多く、時間と費用がかかるほか、騒音を発生し、近隣の迷惑にも配慮しなければならないので、かなりの覚悟を必要とする。また、間仕切りを取り除いたり、変更したりすることは構造的な不安定要因となる。しかも、リフォームするためには従前の間仕切り材などを処理することが必要となるが、間仕切材などは大きすぎて廃棄処分するのが面倒である。
【０００５】
このように、建材を伴う内装部材については、容易にリフォームできるシステムがなかった。せいぜい間仕切りと収納家具とを一体化して間仕切り収納家具とし、これを移動させることで間仕切りの変更をしたり、間仕切り収納ユニットを床面の一点を中心に回動させることによって間仕切りを変更できるようにするという程度であった。
【特許文献１】特開平１１−３３２６８２号公報
【特許文献２】特開平１０−０５７１６１号公報
【発明の開示】
【発明が解決しようとする課題】
【０００６】
本発明は上記問題点を解消し、建材や家具という個別のジャンルにとらわれない両方の機能を備え、従来の部屋単位空間に対してはもちろん、大空間に対しても、ブロック体を積み重ねて連結するという簡単な作業によって自立型の間仕切り材や家具などの内装部材を組み立てて自由にリフォームすることができ、リフォーム後のブロック体の廃棄処理も容易に行なうことができる、内装部材の組立システムおよび内装部材の組立方法を提供することをその課題とする。
【課題を解決するための手段】
【０００７】
前記課題を解決するため、本発明に係る内装部材の組立システムは、表面に凹部又は凸部あるいは凹部及び凸部を設けた多数の異なるブロック体を備え、これらのブロック体の中から選択されたブロック体を、上記凹部又は凸部あるいは凹部及び凸部を利用して互いに嵌合させ、かつ粘着材を介して連結して組み立てることを特徴とする。
【０００８】
なお、上記内装部材の組立システムは、上記ブロック体と、設置面に安定的に配置される基盤材とを備え、最下段に配置される上記ブロック体を、上記基盤材上に粘着材を介して嵌合させる構成としてもよい。
【０００９】
また、本発明に係る内装部材の組立システムは、表面に凹部又は凸部を設けた多数の異なるブロック体と、これらのブロック体の凹部又は凸部に嵌合する嵌合部を設けた多数の異なる中間嵌合体とを備え、これらの中から選択されたブロック体同士を、互いにその中間に上記中間嵌合体を嵌合させ、かつ粘着材を介して連結して組み立てる構成としてもよい。
【００１０】
なお、この内装部材の組立システムは、上記ブロック体と上記中間嵌合体と設置面に安定的に配置される基盤材とを備え、最下段に配置される上記ブロック体を、上記基盤材上に粘着材を介して嵌合させる構成としてもよい。
【００１１】
さらに、上記のいずれの内装部材の組立システムにおいて、上記基盤材を設置面に配置し、その一部の基盤材上に、最下段に配置される上記ブロック体を粘着材を介して嵌合させ、間仕切り材を組み立てるとともに、他の基盤材上には、上面が平坦なブロック体を嵌合させるようにしてもよい。
また、本発明に係る内装部材の組立方法は、表面に凹部又は凸部あるいは凹部及び凸部を設けた複数のブロック体を、上記凹部又は凸部あるいは凹部及び凸部を利用して互いに嵌合させ、かつ粘着材を介して連結して組み立てることを特徴とする。
【００１２】
なお、本発明に係る内装部材の組立方法は、表面に凹部又は凸部を設けた複数のブロック体と、これらのブロック体の凹部又は凸部に嵌合する嵌合部を設けた中間嵌合体とを備え、上記ブロック体を、互いにその中間に上記中間嵌合体を嵌合させ、かつ粘着材を介して連結して組み立てる構成としてもよい。
【発明の効果】
【００１３】
請求項１に係る発明によれば、各種形状のブロック体を組み合わせて嵌合連結することにより、大規模な大工工事を伴うことなく、間仕切り材、家具、壁面、電気器具ボックスなどの内装部材を容易に組み立てることができる。間仕切り自体を自立させたり、他のブロック体との結合により、設置面上に安定に支持させることができるほか、室内空間を構造的に安定にする効果も期待できる。
【００１４】
組立に際してはブロック体同士の凹部と凸部とを嵌合させて行なうので、ブロック体間の正確な位置決めは自動的に決まる。しかも、ブロック体同士は粘着材によって連結されているので、相互の接合強度を確保できるとともに、ブロック体間からの水漏れや音漏れを有効に防止することができる。
【００１５】
しかも、粘着材は連結された２つのブロック体を簡単な道具で分離できる程度の強さであるから、リフォーム時に古くなった内装部材は、粘着材から剥がして分離し、最小単位のブロック体に分解できるので、全体をコンパクトにして廃棄処分できる。したがって、使用済みのブロック体の処理も容易に行なうことができる。
【００１６】
以上のように、変更できない基本の構造体を除き、日常の生活空間を、年齢に応じた生活スタイルの変化や家族の増減などに対応して、熟練者でなくても、自由かつ容易に内部スペースを変更し、リフォームすることができる。
【００１７】
請求項２に係る発明によれば、上記請求項１に係る発明による効果を得ることができるとともに、ブロック体と中間嵌合体にはそれぞれ凹部又は凸部を選択的に形成することができるから、成形が楽である。特に、中間嵌合体を他のブロック体に比べて薄肉にして凸部を形成し、他の肉厚のブロック体には全て凹部を形成した構成を採用することにより、肉厚のブロック体に出っ張りがなくなるので、ブロック体の収納や輸送が楽である。
【００１８】
請求項３および請求項４に係る発明によれば、基盤材は、床面や基礎材の設置面に固定することにより、ブロック体の積み上げ基材となるから、組み立てられた内装部材が設置面に対して安定かつ強固に取り付けられる。
【００１９】
請求項５に係る発明によれば、間仕切り材の外に配置されたブロック体の平坦な上面を床として利用することができるとともに、後年になって内装部材を増設する必要があるときには、その部分のブロック体を外し、所要のブロック体を積み上げて内装部材を組み立てることができる。
【００２０】
請求項６および請求項７に係る発明によれば、所要形状のブロック体を組み合わせて粘着材を介して連結することにより、大規模な大工工事を伴うことなく、間仕切り、家具、壁面、電気器具ボックスなどの内装部材を簡単に組み立てることができる。
【発明を実施するための最良の形態】
【００２１】
本発明は、簡単な作業によって自立型の間仕切り材や家具などの内装部材を組み立てて自由にリフォームすることができ、リフォーム後のブロック体の廃棄処理も容易に行なうことができるという目的を、表面に凹部又は凸部あるいは凹部及び凸部を設けた多数の異なるブロック体を備え、これらのブロック体の中から選択されたブロック体を、上記凹部又は凸部あるいは凹部及び凸部を利用して互いに嵌合させ、かつ粘着材を介して連結して組み立てることにより実現したもので、以下により具体的な実施例を説明する。
【実施例１】
【００２２】
図１は本発明に係る内装部材の組立システムの一例を示すもので、この組立システムは、表面に凹部及び凸部を設けた多数の異なるブロック体１によって構成されている。
【００２３】
ブロック体１は図２（ａ）（ｂ）に示されるように、上面に凸部２を有し、下面に凹部３を有するブロックによって構成されている。ブロック体１の凹部３と凸部２とは互いに嵌合可能な大きさに形成されている。凹部３は貫通した構成でもよい。また、凹部３、凸部２の断面は円形でも多角形でもよい。さらに、凹部３と凸部２の数や位置や大きさは限定されない。
【００２４】
また、ブロック体１は図３に示されるように、無垢の直方体１ａ、棒状ブロック体１ｂ、箱状ブロック体（引出し付きもあり）１ｃ、パネル状ブロック体１ｄ、卓状ブロック体１ｅなどのほか、平面視においてＬ字形、Ｔ字形等の形状に形成されている。そして、ブロック体１は一定のモジュールで成形され、システム化されている。図１には直方体（又は立方体）」のブロック体１ａと棒状ブロック体１ｂとパネル状ブロック体１ｄの例が示されている。
【００２５】
なお、ブロック体１は、アルミニウム、鉄などの金属材、塩化ビニール、ＰＥＴ（ポリエチレンテレフタレート）などの合成樹脂材、木材、集成材、紙による圧縮成形体などによって構成されている。
【００２６】
上下に位置する２つのブロック体１は図４のように、粘着材４を介して連結されるようになっている。粘着材４は滑り止め、ブロック体の接合強度の確保、防水、遮音などの機能を有するとともに、粘着によって連結された２つのブロック体１を簡単な道具で分離できる程度の強さの物質とする。
【００２７】
なお、粘着材４は、チューブや缶に充填されているものでもよいが、図５のように、シート状の部材の表面に粘着材４を配し、粘着材４の上に剥離紙５を配したのを利用するようにしてもよい。シート状に構成する場合、粘着材４はブロック体１の凹部３又は凸部２に対応する部位に設ける必要はない。凹部３又は凸部２に対応する部分は穿孔しておけばよく、またブロック体１の断面形状と同じ大きさでもよく、適宜の大きさに形成され、必要に応じて適切な大きさに切断できる構成でもよい。
【００２８】
上記組立システムにより、内装部材を組み立てるにあたっては、多数のブロック体１の中から所要数のブロック体を選択し、上記凹部３及び凸部２を利用して互いに嵌合させて積み上げる。このとき上下のブロック体の間には粘着材４を介装させ、粘着材４を介してブロック体１を連結し、所定の形状に組み立てればよい。
【００２９】
積み上げ方法としては、例えば図６（ａ）（ｂ）に示されるように、ブロック体１をレンガ積みしてもよく、いも積みしてもよい。コーナー部も、同図（ｃ）（ｄ）のように、隣接するブロック群を突き合わせてもよく、他のブロック群のブロック体１に交互に積み重ねるようにしてもよい。
【００３０】
内装部材として例えば間仕切り兼用棚Ａを組み立てるときは、図７（ａ）に示されるように、箱状ブロック体１ｃを積み上げていけばよい。このとき、側部に隣り合うブロック体１ｃ同士も粘着材で連結するのが好ましい。また、間仕切り結合棚Ｂを組み立てるときは、同図（ｂ）に示されるように、２種類のブロック体１ａ、１ｃを積み上げていけばよい。さらに、内装部材として間仕切り材Ｃを組み立てるときは、同図（ｃ）に示されるように、ブロック体１ａを垂直に積層連結させていけばよい。
【００３１】
また、図８（ａ）（ｂ）は、パネル状ブロック体１ｄと横長のブロック体１ｂとによって間仕切り材Ｃを形成し、間仕切り材Ｃを安定的に自立させるために、間仕切り材間に梁用ブロック体１ｂを懸架連結させ、袖壁６を付加した例である。なお、同図（ｃ）は、間仕切りＣに形成された開口部にドア７を取り付けた例である。
【００３２】
内装部材を安定させるためには、内装部材を設置する床面や基礎材などの設置面と最下段のブロック体１との間に粘着材４を介装させてもよいが、始めに設置面上に、図９（ａ）〜（ｄ）に示されるように、積み上げ基材として基盤材９を固定するのが好ましい。基盤材９はブロック体１と同じ材料により構成され、上面には最下段のブロック体１の下面に形成された凹部３に嵌合する凸部２を有し、下面は平坦に形成されているとともに、上下面に粘着材４を設けた薄肉の板状体で、基盤材９の下面は床面と粘着材４を介して安定的に配置され、上面も粘着材４を介して最下段のブロック体１と十分な接合強度で嵌合連結する。
【００３３】
基盤材９は図９（ａ）のように、ブロック体１を設置する部分にのみ設けてもよいが、設置部分だけでなく、図１０のように広く敷設してもよい。
【００３４】
また、基盤材９として、図１１のような脚付きの卓状ブロック体１ｅを利用し、部屋空間の床面に脚付き基盤材１ｅを敷き詰めて安定的に配置するようにしてもよい。この基盤材９の適宜位置にブロック体１を積み重ねて内装部材を組み立てることができる。この場合は、基盤材９の下部に配線することができる。
【００３５】
なお、床面や基礎材の上面に基盤材９を安定的に配置した場合、図１２のように、一部に間仕切り材Ｃを組み立て、残りの部分の基盤材９上には、上面が平坦で、下面に上記基盤材９に形成された凹部３に嵌合可能な凸部を有するブロック体１ｆを嵌合させるようにしてもよい。これにより、ブロック体１の平坦な上面を床として利用することができるとともに、後年になって内装部材を増設する必要があるときには、その部分のブロック体１ｆを外し、所要のブロック体を積み上げて内装部材を組み立てることができる。
【００３６】
上記内装部材の組み立てシステムには、図１２のように、脚付きの卓状ブロック体１ｅや上面が平坦なブロック体１ｆを追加してもよく、さらに図１３（ａ）に示されるように、組み立てられた内装部材の上端に取り付けられる化粧材１ｇを追加してもよい。化粧材１ｇは下面に最上段のブロック体１と嵌合する嵌合部を備え、上面は平面で構成された板状材である。また、同図（ｂ）のように、間仕切り材Ｃの上端と天井との間に配置される天井突っ張り棒１ｈや、同図（ｃ）のように、間仕切り材の上部に配置された蛍光灯１３を覆う照明カバー１ｉなどである。そのほか、同図（ｄ）のように、共通位置に貫通孔１４を形成したブロック体１ｊを加えてもよい。このブロック体１ｊを連結することにより、結合支柱の挿入、電気コードなどの長尺材を挿入して利用できる。さらに、電気スイッチを設けたブロック体１ｋや、コンセントを設けたブロック体１ｌを加えてもよい。なお、同図（ｂ）（ｃ）の間仕切り材の最上部のブロック体の上面には凸部ではなく凹部を形成したものが好ましい。
【００３７】
ブロック体は、図１４のように、上下面に凹部３を有する第１のブロック体１と、上下面に凸部２を有する第２のブロック体１´とから構成してもよい。第１のブロック体１の凹部３には第２のブロック体１´の凸部２を嵌合して連結するが、この場合も第１のブロック体１と第２のブロック体１´との間に粘着材４を介装する。このような例は、第１のブロック体１を使用する層と第２のブロック体１´を使用する層を明確に分ける必要があるような場合、例えば、図７（ａ）（ｂ）のように棚を組み立てるような場合、収納部の上下面に凸部２が出っ張ることがないので、扱いやすい。
【００３８】
以上のように、上記内装部材の組立システムによれば、各種形状のブロック体を組み合わせて嵌合連結することにより、大規模な大工工事を伴うことなく、間仕切り材、家具、壁面、電気器具ボックスなどの内装部材を容易に組み立てることができる。間仕切り自体を自立させたり、他のブロック体との結合により、設置面上に安定に支持させることができるほか、室内空間を構造的に安定にする効果も期待できる。したがって、ライフスタイルや家族の増減の変化に応じて容易かつ自由に屋内空間の間仕切りを変更することができる。
【００３９】
組立に際してはブロック体同士の凹部３と凸部２とを嵌合させて行なうので、ブロック体間の位置決めは自動的に決まる。しかも、ブロック体同士は粘着材４によって連結されているので、ブロック体１間の接合強度を確保でき、ブロック体１間からの水漏れや音漏れを有効に防止することができる。
【００４０】
しかも、粘着材４は連結された２つのブロック体１を簡単な道具で分離できる程度の強さであるから、リフォーム時に古くなった内装部材は、粘着材４から剥がして分離し、最小単位のブロック体まで分解できるので、コンパクトにして廃棄処分できる。したがって、使用済みのブロック体１の処理も容易に行なうことができる。
【実施例２】
【００４１】
本発明に係る内装部材の組立システムは、多数の異なるブロック体と、これらのブロック体のうち、上下に重なり合うブロック体の間に配置される多数の異なる中間嵌合体とによって構成してもよい。
【００４２】
ブロック体１は図１５（ａ）（ｂ）に示されるように、上面と下面に凹部３を有するブロック体１によって構成されている。凹部３は貫通孔によって構成してもよい。また、凹部３は断面が円形でも多角形でもよく、その数や位置、大きさは限定されない。その他、基本形状や素材などは図１に示したブロック体１と同じであるから同じ符号で示す。他も同様である。
【００４３】
上記ブロック体１も、実施例１のシステムと同様、図１に示されたものと同じように、一定のモジュールで成形されている。中間嵌合体１０は最小のブロック体１の上下面に対応する大きさとして共通化してもよい。ブロック体１の横断面の大きさにある程度対応させてモジュール化してもよいが、厚みは大きさにかかわらず均一にするのがよい。
【００４４】
中間嵌合体１０はブロック体１と同じ材料によって構成され（異なる材料でもよい）、図１６に示されるように、その上下面にはブロック体１の凹部３に嵌合可能な嵌合凸部２（嵌合部）が形成されている。一般に、中間嵌合体１０はブロック体１よりも薄い形状でよく、同図のように薄板状にするのが好ましいが、厚いものであってもよい。
【００４５】
中間嵌合体１０の上下面には粘着材４が設けられている。粘着材４は滑り止め、接合強度の確保、防水、遮音などの機能を有するとともに、連結された２つのブロックを簡単な道具で分離できる程度の強さの物質で、中間嵌合体１０の上下面に塗布され、剥離紙（図示せず）で覆われる構成が好ましい。粘着材４は中間嵌合体１０ではなく、ブロック体１の上下面に塗布層成してもよく、容器に充填されたものを用いてもよい。
【００４６】
なお、上記組立システムにおいても、組み立てられた内装部材を安定にするための基盤材９や化粧材１５を設けてもよい。
【００４７】
上記組立システムにより、内装部材を組み立てるにあたっては、多数のブロック体１の中から所要数のブロック体１と中間嵌合体１０を選択し、ブロック同士の凹部３に中間嵌合体１０の凸部２を嵌合させる。また、上下のブロック体１の間には粘着材４が介装され、粘着材４を介してブロック体１が連結され、所定の形状に組み立てられる。
【００４８】
例えば、内装部材として間仕切り兼用棚Ａを組み立てるときは、図１７（ａ）に示されるように、箱状ブロック体１ｃを積み上げていけばよい。このとき、側部に隣り合うブロック体１ｃ同士も粘着材で連結するのが好ましいことはもちろんである。また、間仕切り結合棚Ｂを組み立てるときは、同図（ｂ）に示されるように、２種類のブロック体１ａ、１ｃを積み上げていけばよい。さらに、内装部材として間仕切り材Ｃを組み立てるときは、同図（ｃ）に示されるように、ブロック体１ａを積層させていけばよい。このとき、図１５（ａ）に示す基盤材９や化粧材１５を使用してもよいことはもちろんである。
【００４９】
他の内装部材を組み立てるときも、実施例１と同じ要領で組み立てることができる。
【００５０】
上記構成による効果も実施例１によるものとほとんど同じであるが、本実施例では、肉厚のブロック体１の上下面には凹部３が形成されているから、表面に出っ張るものがなく、凸部２が形成された中間嵌合体１０は、ブロック体１の種類にかかわらず肉薄で均一な厚みでよいから、全体として取り扱いやすい組立システムとなる。
【００５１】
なお、間仕切り材を安定させるため、間仕切り材を設置する床面上に基盤材９を固定する構成、配置態様、利用態様や、内装部材の組立システムに追加できるブロック体の構成も、実施例１と同様でよい。
【００５２】
特に、本実施例の場合、組立システムを構成するブロック体として、中間嵌合体１０も含まれることになるが、中間嵌合体の構成も上述の例に限定されない。たとえば、図１８（ａ）のように、一端に取付溝１６を形成してもよい。そのほか、同図に示す取付溝１６付きの基盤材９や化粧材１５も含むようにしてもよい。
【００５３】
上述の例によれば、同図（ｂ）に示されるように、取付溝付きの基盤材９や化粧材１５とともに、同じ段に取付溝付き中間嵌合体１０を配置したときに、取付溝１６により水平方向に連続したレールが形成されるから、上記取付溝に内装パネル１７を嵌合させて仕上げ効果を上げることができる。なお、上記パネル１７を半透明とし、その内側に照明器具を配置すれば、バックライト付きインテリアとなる。そのほか、同図（ｃ）のように、間仕切り材の一部に取付溝１６付き中間嵌合体１０を配置し、壁面の一部にレンガ状ブロック１８などを取り付けてインテリアとしてもよい。
【００５４】
なお、取付溝の代わりに、一端に物を掛けられるフック（図示せず）を形成した形状にすれば、別個のフックを固定する手間を要せずに、任意の位置に物を掛けることができる。このように、中間嵌合体としては、本来のブロック体連結機能を有するもののほか、側方に溝やフックのような保持機能のある形状が張り出すものも含まれるようにしてもよい。
【００５５】
中間嵌合体の取付溝は必ずしも上下に開口したものでなく、上又は下方に開口したものであってもよい。また、図１９に示されるように、取付溝１６やフックが中間嵌合体１０の両端に形成されている構成であってもよい。
【００５６】
なお、中間嵌合体はブロック体の凹部にも凸部にも対応できるので、実施例１に示されたブロック体に対しても組み合わせることができるほか、図２０に示されるように、上下両面に凸部２を有するブロック体に対しても、中間嵌合体１０に凸部２に嵌合可能な凹部３（孔を含む）を形成することにより、組み合わせることができる。
【産業上の利用可能性】
【００５７】
一定の内装部材を組み立てるのに必要な分のブロック体、あるいはブロック体と中間嵌合体を粘着材とともにキットとして需要者に提供することができる。
【図面の簡単な説明】
【００５８】
【図１】本発明に係る内装部材組立システムを構成する基本的なブロック体の例を示す概要図である。
【図２】（ａ）（ｂ）は、それぞれ基本的なブロック体の斜視図と側面図である。
【図３】ブロック体の種類の一部を示す斜視図である。
【図４】ブロック体の連結態様を示す分解斜視図である。
【図５】粘着材の側面図である。
【図６】（ａ）（ｂ）（ｃ）（ｄ）はそれぞれブロック体の連結例を示す斜視図である。
【図７】（ａ）（ｂ）（ｃ）はそれぞれブロック体の連結適用例を示す斜視図である。
【図８】ブロック体の連結適用例を示す斜視図である。
【図９】（ａ）（ｂ）（ｃ）（ｄ）は基盤材を用いた間仕切りの組み立て態様説明図である。
【図１０】基盤材を広く用いた例の斜視図である。
【図１１】脚付き基盤材の使用例を示す斜視図である。
【図１２】基盤材の上に別のブロック体を配した状態の斜視図である。
【図１３】（ａ）（ｂ）（ｃ）はさらに他の特殊なブロック体の例を示す斜視図である。
【図１４】他の基本的ブロック体の側面図である。
【図１５】（ａ）（ｂ）は本発明に係る他の内装部材組立システムを構成する基本的ブロック体と中間嵌合体の例を示す斜視図と側面図である。
【図１６】中間嵌合体の断面図である。
【図１７】（ａ）（ｂ）（ｃ）はそれぞれブロック体と中間嵌合体の連結適用例を示す斜視図である。
【図１８】（ａ）（ｂ）（ｃ）は中間嵌合体の変形例とそのその使用態様を示す説明図である。
【図１９】中間嵌合体のさらに他の例の側面図
【図２０】さらに他の基本的ブロック体の側面図である。
【符号の説明】
【００５９】
１  ブロック体
２  凸部
３  凹部
４  粘着材
１０  中間嵌合体
【図１】
2005344337.tif 000003
【図２】
2005344337.tif 000004
【図３】
2005344337.tif 000005
【図４】
2005344337.tif 000006
【図５】
2005344337.tif 000007
【図６】
2005344337.tif 000008
【図７】
2005344337.tif 000009
【図８】
2005344337.tif 000010
【図９】
2005344337.tif 000011
【図１０】
2005344337.tif 000012
【図１１】
2005344337.tif 000013
【図１２】
2005344337.tif 000014
【図１３】
2005344337.tif 000015
【図１４】
2005344337.tif 000016
【図１５】
2005344337.tif 000017
【図１６】
2005344337.tif 000018
【図１７】
2005344337.tif 000019
【図１８】
2005344337.tif 000020
【図１９】
2005344337.tif 000021
【図２０】
2005344337.tif 000022